【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
無線通信の方法であって、
前記方法は、
少なくとも１つの識別子を受信すること、そこにおいて、前記少なくとも１つの識別子は、別の少なくとも１つの干渉測定リソースと部分的に重複する少なくとも１つの干渉測定リソースを少なくとも部分的に決定し、そこにおいて、前記少なくとも１つの干渉測定リソースは、リソース要素のセットからの多数のリソース要素を備え、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
および
前記少なくとも１つの干渉測定リソースに少なくとも部分的に基づいて干渉を測定すること、
を備える、
方法。
【請求項２】
前記少なくとも１つの干渉測定リソースは、前記別の少なくとも１つの干渉測定リソースのリソース要素を伴ってわずか２つのリソース要素によって重複する、請求項１に記載の方法。
【請求項３】
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、わずか２つのリソース要素によって重複する、
請求項２に記載の方法。
【請求項４】
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
をさらに備える、請求項１に記載の方法。
【請求項５】
前記少なくとも１つの識別子のそれぞれに関して、
各識別子に、少なくとも部分的に、基づいて、リソースブロックのセットから２つのリソースブロックを選択すること、
および
各識別子に、少なくとも部分的に、基づいて、前記２つのリソースブロックから４つのリソース要素を選択すること、そこにおいて、前記干渉を前記測定することは、前記４つのリソース要素に基づく、
をさらに備える、請求項１に記載の方法。
【請求項６】
前記リソース要素のセットは、ゼロ出力チャネル状態情報参照信号（ＺＰ  ＣＳＩ−ＲＳ）リソースと関連する、請求項１に記載の方法。
【請求項７】
既定のサブフレームにおける前記少なくとも１つの干渉測定リソースは、前記識別子と周波数ホッピングパターンの組み合わせに基づいて決定される、請求項１に記載の方法。
【請求項８】
無線通信装置であって、
少なくとも１つの識別子を受信する、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに少なくとも部分的に基づいて干渉を測定する、ように構成された少なくとも１つのプロセッサ、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
および
データを格納するために前記少なくとも１つのプロセッサに結合されたメモリ、
を備える、装置。
【請求項９】
前記少なくとも１つの干渉測定リソースは、前記別の少なくとも１つの干渉測定リソースのリソース要素を伴ってわずか２つのリソース要素によって重複する、請求項８に記載の装置。
【請求項１０】
無線通信装置であって、
少なくとも１つの識別子を受信するための手段、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備え、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
および
前記少なくとも１つの干渉測定リソースに少なくとも部分的に基づいて干渉を測定するための手段、
を備える、装置。
【請求項１１】
コンピュータプログラムであって、
少なくとも１つのコンピュータ上で実行されるとき、前記少なくとも１つのコンピュータに請求項１乃至７のうちの任意の１項の方法のステップを実行させる命令を備える、コンピュータプログラム。
【請求項１２】
無線通信の方法であって、
前記方法は、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備え、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
および
前記少なくとも１つの干渉測定リソースに基づいて少なくとも１つのモバイルエンティティからチャネル状態情報（ＣＳＩ）報告を受信すること、
を備える、
方法。
【請求項１３】
無線通信装置であって、
少なくとも１つのモバイルエンティティにネットワークエンティティの識別子を伝送する、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに基づいて少なくとも１つのモバイルエンティティからチャネル状態情報（ＣＳＩ）報告を受信し、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、ように構成された少なくとも１つのプロセッサ、
および、
データを格納するために前記少なくとも１つのプロセッサに結合されたメモリ、
を備える、装置。
【請求項１４】
無線通信装置であって、
少なくとも１つのモバイルエンティティにネットワークエンティティの識別子を伝送するための手段、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備え、そこにおいて、前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、
および、
前記少なくとも１つの干渉測定リソースに基づいて少なくとも１つのモバイルエンティティからチャネル状態情報（ＣＳＩ）報告を受信するための手段、
を備える、装置。
【請求項１５】
コンピュータプログラムであって、
少なくとも１つのコンピュータ上で実行されるとき、前記少なくとも１つのコンピュータに請求項１２の方法のステップを実行させる命令を備える、コンピュータプログラム。
【手続補正２】
【補正対象書類名】明細書
【補正対象項目名】００９４
【補正方法】変更
【補正の内容】
【００９４】
[0085]開示の先の説明は、本開示を作成または使用することを当業者に可能にするために提供される。本開示への種々の変更は、当業者にとって容易に明らかであり、ここで定義された包括的な原則は、本開示の精神または範囲から逸脱することなく他の変形に適用され得る。従って、本開示は、ここに記載された例および設計に限定されるよう意図されることはないが、ここに開示された原則および新規事項に一致する最も広い範囲に許可されるべきである。
以下に、本願出願の当初の特許請求の範囲に記載された発明を付記する。
［Ｃ１］
無線通信の方法であって、
前記方法は、
少なくとも１つの識別子を受信すること、そこにおいて、前記少なくとも１つの識別子は、別の少なくとも１つの干渉測定リソースと部分的に重複する少なくとも１つの干渉測定リソースを少なくとも部分的に決定し、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を備える、
方法。
［Ｃ２］
前記少なくとも１つの干渉測定リソースは、前記別の少なくとも１つの干渉測定リソースのリソース要素を伴って２つより多くないリソース要素によって重複する、Ｃ１に記載の方法。
［Ｃ３］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
Ｃ２に記載の方法。
［Ｃ４］
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
をさらに備える、Ｃ１に記載の方法。
［Ｃ５］
前記少なくとも１つの識別子のそれぞれに関して、
各識別子に、少なくとも部分的に、基づいて、リソースブロックのセットから２つのリソースブロックを選択すること、
および
各識別子に、少なくとも部分的に、基づいて、前記２つのリソースブロックから４つのリソース要素を選択すること、そこにおいて、前記干渉を前記測定することは、前記４つのリソース要素に基づく、
をさらに備える、Ｃ１に記載の方法。
［Ｃ６］
前記リソース要素のセットは、ゼロ出力チャネル状態情報参照信号（ＺＰ  ＣＳＩ−ＲＳ）リソースと関連する、Ｃ１に記載の方法。
［Ｃ７］
前記少なくとも１つの識別子は、前記少なくとも１つの干渉測定リソースと関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ１に記載の方法。
［Ｃ８］
既定のサブフレームにおける前記少なくとも１つの干渉測定リソースは、前記識別子と周波数ホッピングパターンの組み合わせに基づいて決定される、Ｃ１に記載の方法。
［Ｃ９］
無線通信装置であって、
少なくとも１つの識別子を受信する、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに少なくとも部分的に基づいて干渉を測定する、ように構成された少なくとも１つのプロセッサ、
および
データを格納するために前記少なくとも１つのプロセッサに結合されたメモリ、
を備える、装置。
［Ｃ１０］
前記少なくとも１つの干渉測定リソースは、前記別の少なくとも１つの干渉測定リソースのリソース要素を伴って２つより多くないリソース要素によって重複する、Ｃ９に記載の装置。
［Ｃ１１］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
Ｃ１０に記載の装置。
［Ｃ１２］
前記少なくとも１つのプロセッサは、前記干渉を前記測定することに基づいてチャネル状態情報（ＣＳＩ）報告を決定し、および前記少なくとも１つの識別子と関連する少なくとも１つのネットワークエンティティに前記ＣＳＩ報告を送信する、ようにさらに構成される、Ｃ９に記載の装置。
［Ｃ１３］
前記少なくとも１つのプロセッサは、前記少なくとも１つの識別子のそれぞれに関して、
各識別子に、少なくとも部分的に、基づいて、リソースブロックのセットから２つのリソースブロックを選択する、および、各識別子に、少なくとも部分的に、基づいて、前記２つのリソースブロックから４つのリソース要素を選択する、そこにおいて、前記干渉を前記測定することは、前記４つのリソース要素に基づく、
ようにさらに構成される、Ｃ９に記載の装置。
［Ｃ１４］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ９に記載の装置。
［Ｃ１５］
無線通信装置であって、
少なくとも１つの識別子を受信するための手段、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定するための手段、
を備える、装置。
［Ｃ１６］
前記少なくとも１つの干渉測定リソースは、前記別の少なくとも１つの干渉測定リソースのリソース要素を伴って２つより多くないリソース要素によって重複する、Ｃ１５に記載の装置。
［Ｃ１７］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
Ｃ１６に記載の装置。
［Ｃ１８］
前記干渉を前記測定することに基づいてチャネル状態情報（ＣＳＩ）報告を決定するための手段と、
および
前記少なくとも１つの識別子と関連する少なくとも１つのネットワークエンティティに前記ＣＳＩ報告を送信するための手段と、
をさらに備える、Ｃ１５に記載の装置。
［Ｃ１９］
各識別子に、少なくとも部分的に、基づいて、リソースブロックのセットから２つのリソースブロックを選択するための手段、
および、
前記２つのリソースブロックから４つのリソース要素を選択するための手段、そこにおいて、前記干渉を前記測定することは、前記４つのリソース要素に基づく、
をさらに備える、
Ｃ１５に記載の装置。
［Ｃ２０］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ１５に記載の装置。
［Ｃ２１］
コンピュータプログラムプロダクトであって、
少なくとも１つの識別子を受信すること、そこにおいて、前記少なくとも１つの識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに少なくとも部分的に基づいて干渉を測定すること、
を少なくとも１つのコンピュータにさせるためのコードを備えるコンピュータ可読媒体を備える、コンピュータプログラムプロダクト。
［Ｃ２２］
前記少なくとも１つの干渉測定リソースは、前記別の少なくとも１つの干渉測定リソースのリソース要素を伴って２つより多くないリソース要素によって重複する、Ｃ２１に記載のコンピュータプログラムプロダクト。
［Ｃ２３］
前記少なくとも１つの識別子は、第１の識別子と第２の識別子を備え、
前記第１の識別子は第１の干渉測定リソースを決定し、
前記第２の識別子は第２の干渉測定リソースを決定し、
および
前記第１および第２の干渉測定リソースは、２つより多くないリソース要素によって重複する、
Ｃ２２に記載のコンピュータプログラムプロダクト。
［Ｃ２４］
前記コンピュータ可読媒体は、
前記干渉を前記測定することに基づいてチャネル状態情報（ＣＳＩ）報告を決定すること、
および
前記少なくとも１つの識別子と関連する少なくとも１つのネットワークエンティティに前記ＣＳＩ報告を送信すること、
を前記少なくとも１つのコンピュータにさせるためのコード、
をさらに備える、
Ｃ２１に記載のコンピュータプログラムプロダクト。
［Ｃ２５］
前記コンピュータ可読媒体は、
各識別子に、少なくとも部分的に、基づいて、リソースブロックのセットから２つのリソースブロックを選択すること、
および
前記２つのリソースブロックから４つのリソース要素を選択すること、そこにおいて、前記干渉を前記測定することは、前記４つのリソース要素に基づく、
を前記少なくとも１つのコンピュータにさせるためのコード、
をさらに備える、
Ｃ２１に記載のコンピュータプログラムプロダクト。
［Ｃ２６］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ２１に記載のコンピュータプログラムプロダクト。
［Ｃ２７］
無線通信の方法であって、
前記方法は、
少なくとも１つのモバイルエンティティにネットワークエンティティの識別子を伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および
前記少なくとも１つの干渉測定リソースに基づいて少なくとも１つのモバイルエンティティからチャネル状態情報（ＣＳＩ）報告を受信すること、
を備える、
方法。
［Ｃ２８］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、Ｃ２７に記載の方法。
［Ｃ２９］
前記識別子に、少なくとも部分的に、基づいて、リソースブロックのセットから２つのリソースブロックを選択すること、
および
前記識別子に、少なくとも部分的に、基づいて、前記２つのリソースブロックから４つのリソース要素を選択すること、そこにおいて、前記受信されたＣＳＩ報告は前記４つのリソース要素にさらに基づく、
をさらに備える、Ｃ２７に記載の方法。
［Ｃ３０］
前記識別子は、列挙されたリソース割り当てのセットに基づいて少なくとも１つの干渉測定リソースを、少なくとも部分的に、決定する、Ｃ２７に記載の方法。
［Ｃ３１］
前記列挙されたリソース割り当てのセットは、サブパターンの繰り返しによって定義されたリソース割り当てを備える、Ｃ３０に記載の方法。
［Ｃ３２］
前記列挙されたリソース割り当てのセットは、サブパターンの反転によって定義されたリソース割り当てを備える、Ｃ３０に記載の方法。
［Ｃ３３］
前記少なくとも１つの識別子は、前記少なくとも１つの干渉測定リソースに関連する仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ２７に記載の方法。
［Ｃ３４］
前記リソース要素のセットは、ゼロ出力チャネル状態情報参照信号（ＺＰ  ＣＳＩ−ＲＳ）リソースと関連する、Ｃ２７に記載の方法。
［Ｃ３５］
無線通信装置であって、
少なくとも１つのモバイルエンティティにネットワークエンティティの識別子を伝送する、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、および、前記少なくとも１つの干渉測定リソースに基づいて少なくとも１つのモバイルエンティティからチャネル状態情報（ＣＳＩ）報告を受信する、ように構成された少なくとも１つのプロセッサ、
および、
データを格納するために前記少なくとも１つのプロセッサに結合されたメモリ、
を備える、装置。
［Ｃ３６］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、Ｃ３５に記載の装置。
［Ｃ３７］
前記少なくとも１つのプロセッサは、
前記識別子に、少なくとも部分的に、基づいて、リソースブロックのセットから２つのリソースブロックを選択し、
および
前記２つのリソースブロックから４つのリソース要素を選択する、そこにおいて、前記受信されたＣＳＩ報告は前記４つのリソース要素にさらに基づく、
ようにさらに構成される、
Ｃ３５に記載の装置。
［Ｃ３８］
前記識別子は、列挙されたリソース割り当てのセットに基づいて少なくとも１つの干渉測定リソースを、少なくとも部分的に、決定する、Ｃ３５に記載の装置。
［Ｃ３９］
前記列挙されたリソース割り当てのセットは、サブパターンの繰り返しによって定義されたリソース割り当てを備える、Ｃ３８に記載の装置。
［Ｃ４０］
前記列挙されたリソース割り当てのセットは、サブパターンの反転によって定義されたリソース割り当てを備える、Ｃ３８に記載の装置。
［Ｃ４１］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ３５に記載の装置。
［Ｃ４２］
無線通信装置であって、
少なくとも１つのモバイルエンティティにネットワークエンティティの識別子を伝送するための手段、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信するための手段、
を備える、装置。
［Ｃ４３］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、Ｃ４２に記載の装置。
［Ｃ４４］
前記識別子に、少なくとも部分的に、基づいて、リソースブロックのセットから２つのリソースブロックを選択するための手段、
および、
前記２つのリソースブロックから４つのリソース要素を選択するための手段、そこにおいて、前記受信されたＣＳＩ報告は前記４つのリソース要素にさらに基づく、
をさらに備える、Ｃ４２に記載の装置。
［Ｃ４５］
前記識別子は、列挙されたリソース割り当てのセットに基づいて少なくとも１つの干渉測定リソースを、少なくとも部分的に、決定する、Ｃ４２に記載の装置。
［Ｃ４６］
前記列挙されたリソース割り当てのセットは、サブパターンの繰り返しによって定義されたリソース割り当てを備える、Ｃ４５に記載の装置。
［Ｃ４７］
前記列挙されたリソース割り当てのセットは、サブパターンの反転によって定義されたリソース割り当てを備える、Ｃ４５に記載の装置。
［Ｃ４８］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ４２に記載の装置。
［Ｃ４９］
コンピュータプログラムプロダクトであって、
ネットワークエンティティの識別子を少なくとも１つのモバイルエンティティに伝送すること、前記識別子は、別の少なくとも１つの干渉測定リソースと部分的に重複する少なくとも１つの干渉測定リソースを、少なくとも部分的に、決定する、そこにおいて、前記少なくとも１つの干渉測定リソースは、リソース要素のセットからの多数のリソース要素を備える、
および、
前記少なくとも１つの干渉測定リソースに基づいて少なくとも１つのモバイルエンティティからチャネル状態情報（ＣＳＩ）報告を受信すること、
を少なくとも１つのコンピュータにさせるためのコードを備えるコンピュータ可読媒体を備える、コンピュータプログラムプロダクト。
［Ｃ５０］
前記少なくとも１つの干渉測定リソースは、別のネットワークエンティティの別の識別子によって決定された前記別の少なくとも１つの干渉測定リソースのリソース要素を伴って２つより多くないリソース要素によって重複する、Ｃ４９に記載のコンピュータプログラムプロダクト。
［Ｃ５１］
前記コンピュータ可読媒体は、
前記識別子に、少なくとも部分的に基づいて、リソースブロックのセットから２つのリソースブロックを選択すること、
および、
前記２つのリソースブロックから４つのリソース要素を選択すること、そこにおいて、前記受信されたＣＳＩ報告は、前記４つのリソース要素にさらに基づく、
を前記少なくとも１つのコンピュータにさせるためのコードをさらに備える、
Ｃ４９に記載のコンピュータプログラムプロダクト。
［Ｃ５２］
前記識別子は、列挙されたリソース割り当てのセットに基づいて少なくとも１つの干渉測定リソースを、少なくとも部分的に、決定する、Ｃ４９に記載のコンピュータプログラムプロダクト。
［Ｃ５３］
前記列挙されたリソース割り当てのセットは、サブパターンの繰り返しによって定義されたリソース割り当てを備える、Ｃ５２に記載のコンピュータプログラムプロダクト。
［Ｃ５４］
前記列挙されたリソース割り当てのセットは、サブパターンの反転によって定義されたリソース割り当てを備える、Ｃ５２に記載のコンピュータプログラムプロダクト。
［Ｃ５５］
前記少なくとも１つの識別子は、前記少なくとも１つの干渉測定リソースのために定義された仮想セルＩＤの１つであり、インデックスは、前記協調マルチポイント（ＣｏＭＰ）測定セットにおける非ゼロ出力チャネル状態情報参照信号（ＮＺＰ  ＣＳＩ−ＲＳ）リソースの前記仮想セルＩＤあるいは物理セルＩＤを指し示す、Ｃ４９に記載のコンピュータプログラムプロダクト。